(57)【要約】【課題】瞬断対策が施されたトレイタイプのカード用コネクタを提供する。【解決手段】コネクタ１０は、トレイ２、ハウジング３、カバー板４、及び複数のコンタクト５を備える。トレイ２はカード１を収容する凹部２０を有する。ハウジング３はトレイ２をスライド自在に内部に収納する。カバー板４はハウジング３を覆うと共に、ハウジング３の両側面を両翼が密着して補強する。コンタクト５は、接点がカード１に設けられたパッドに接触する。トレイ２は、カード１の両側面の一部が露出する一対一組の開口２ａ・２ａ及び２ｂ・２ｂを両翼に有する。ハウジング３は、一対一組の切り欠き３ａ・３ａ及び３ｂ・３ｂを両側面に有する。カバー板４は、一対一組の切り欠き及び一対一組の開口を介して、カード１の両側面を略同じ力で押圧する一対一組の板ばね片４ａ・４ａ及び４ｂ・４ｂを両翼に有する。【選択図】図３
2010198810.tif 000002
【特許請求の範囲】
【請求項１】
カードを収容する凹部を有する平板状のトレイと、
このトレイをスライド自在に内部に収納する薄直方体のハウジングと、
このハウジングの底面を平坦面が覆うと共に、前記ハウジングの両側面を両翼が密着して補強するカバー板と、
前記ハウジングの底面から接点が突出して、この接点が前記カードの一方の面に設けられたパッドに接触する複数のコンタクトと、を備え、
前記トレイは、前記カードの両側面の一部が露出して、当該トレイのスライド方向に沿って離間し、かつ対向する一対一組の開口を両翼に有し、
前記ハウジングは、前記トレイがスライドする方向に沿って離間し、かつ対向する一対一組の切り欠きを両側面に有し、
前記カバー板は、前記一対一組の切り欠き及び前記一対一組の開口を介して、前記カードの両側面を略同じ力で押圧する一対一組の板ばね片を両翼に有するカード用コネクタ。
【請求項２】
カードを収容する凹部を有する平板状のトレイと、
このトレイをスライド自在に内部に収納する薄直方体のハウジングと、
このハウジングの底面を平坦面が覆うと共に、前記ハウジングの両側面を両翼が密着して補強するカバー板と、
前記ハウジングの底面から接点が突出して、この接点が前記カードの一方の面に設けられたパッドに接触する複数のコンタクトと、を備え、
前記トレイは、前記カードの一方の側面の一部が露出して、当該トレイのスライド方向に沿って離間する一組の開口を一方の片翼に有し、
前記ハウジングは、前記トレイがスライドする方向に沿って離間する一組の切り欠きを一方の側面に有し、
前記カバー板は、前記一組の切り欠き及び前記一組の開口を介して、前記カードを前記凹部の内側壁に押圧する一組の板ばね片を一方の片翼に有するカード用コネクタ。
【請求項３】
前記板ばね片は、前記カバー板の側面の一部が突出する片持ち状の基端部と、この基端部から延出して前記トレイの側面にスライドする先端部と、を有し、
前記トレイは、前記板ばね片の前記先端部が陥没する段差を前記開口の入口に有する請求項１又は２記載のカード用コネクタ。
【発明の詳細な説明】
【技術分野】
【０００１】
本発明は、カード用コネクタに関する。特に、カードをトレイに収容してコネクタに着脱するトレイタイプのカード用コネクタの構造に関する。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、カメラ付き携帯電話やＰＤＡ（Ｐｅｒｓｏｎａｌ  Ｄｉｇｉｔａｌ  Ａｓｓｉｓｔａｎｃｅ）に代表される携帯型情報機器の記録メディアとして普及している。
【０００３】
近年では、携帯電話に用いられるカードとして、ＳＩＭ（Ｓｕｂｓｃｒｉｂｅｒ  Ｉｄｅｎｔｉｔｙ  Ｍｏｄｕｌｅ：加入者認証モジュール）カードが普及している。ＳＩＭカードは、携帯電話から取り外し可能なカードであって、通信事業者との契約情報などが記録されている。したがって、ＳＩＭカードを他の製造会社の携帯電話に装着することで、通信事業者の加入者であることが認証され、この携帯電話を使用できる。
【０００４】
ところで、前述したようなカードを接続するコネクタは、コネクタに備わるコンタクトとカードに備わる接点としてのパッドとの接続が振動や衝撃により瞬間的に絶たれる状態（いわゆる、「瞬断」である）が発生することがある。
【０００５】
そして、上記のような不具合に対して、瞬断が発生することが困難なトレイタイプのカード用コネクタが開示されている（例えば、特許文献１参照）。
【０００６】
特許文献１によるカード用コネクタは、カードを収容できるトレイ、このトレイが移動可能な空間を有するハウジング、及びこのハウジングに設けられた複数のコンタクトを備えている。そして、特許文献１によるカード用コネクタは、前記コネクタ本体に、トレイに収容されているカードにのみ当接する付勢部材をハウジングに設けている。又、トレイの壁部の内側には、カードと当接するリブを設けている。
【０００７】
又、上記のような不具合に対して、コネクタの低背化を維持すると共に、コネクタに挿入されるカードに備わるパッドとコンタクトとの電気的接触における信頼性を確保するトレイタイプのカード用コネクタが開示されている（例えば、特許文献２参照）。
【０００８】
特許文献２によるカード用コネクタは、カードを収容可能なトレイ、及びこのカードを収容したトレイがスライド可能に挿入されるハウジングを有して構成されている。トレイは、平面部の両側部に沿って形成され、断面略Ｌ字型の一端が外側に向けられた一対の縁部を有している。
【０００９】
一方、ハウジングは、ガイドとベース部を有している。ガイドは、ハウジングの両側部に沿って形成され、トレイの縁部がスライド可能に挿入される。ベース部は、カードに設けたパッドと接続するコンタントを有する。更に、ガイドと対向するベース部の両側面の一部に突部が形成されている。トレイがハウジングに挿入されたときに、この突部は、縁部を内側からガイド方向に押し圧を与えることができる。
【先行技術文献】
【特許文献】
【００１０】
【特許文献１】特開２００６−２５２８２３号公報
【特許文献２】特開２００７−１８９６９号公報
【発明の概要】
【発明が解決しようとする課題】
【００１１】
しかしながら、特許文献１によるカード用コネクタは、コンタクトの先端部を載せて上下動可能なスライダを備えるので、コネクタの低背化を困難としている。更に、特許文献１によるカード用コネクタは、カバー部材に設けたロック爪とトレイに設けたロック具とがトレイロック機構を構成するなど、構成を複雑にしている。
【００１２】
一方、特許文献２によるカード用コネクタは、低背化され、かつ構成が簡易なトレイタイプのカード用コネクタを実現している。しかし、カードは、トレイを介してコンタクトに付勢されているので、カードとトレイに設けられた凹部との間には、遊び（余裕）があるので、コンタクトとカードとの摩擦力のみで、振動や衝撃に対して、カードを保持することは困難であるという問題がある。
【００１３】
したがって、低背化され、かつ構成が簡易なトレイタイプのカード用コネクタであって、かつカードに備わるパッドとコンタクトとの接触が確実なカード用コネクタが求められている。そして、以上のことが本発明の課題といってよい。
【００１４】
本発明は、このような問題に鑑みてなされたものであり、低背化であり、かつ構成が簡易なカード用コネクタであって、瞬断対策が施されたトレイタイプのカード用コネクタを提供することを目的とする。
【課題を解決するための手段】
【００１５】
発明者は、上記目的を達成するため、カードを収容するトレイの少なくとも片翼に一組の開口を設け、トレイを覆うカバー板に一組の開口を介して、カードをトレイの内側壁に押圧する板ばね片を設けることにより、上記の課題が解決可能なことを見出し、これに基づいて、以下のような新たなカードを発明するに至った。
【００１６】
（１）  カードを収容する凹部を有する平板状のトレイと、このトレイをスライド自在に内部に収納する薄直方体のハウジングと、このハウジングの底面を平坦面が覆うと共に、前記ハウジングの両側面を両翼が密着して補強するカバー板と、前記ハウジングの底面から接点が突出して、この接点が前記カードの一方の面に設けられたパッドに接触する複数のコンタクトと、を備え、前記トレイは、前記カードの両側面の一部が露出して、当該トレイのスライド方向に沿って離間し、かつ対向する一対一組の開口を両翼に有し、前記ハウジングは、前記トレイがスライドする方向に沿って離間し、かつ対向する一対一組の切り欠きを両側面に有し、前記カバー板は、前記一対一組の切り欠き、及び前記一対一組の開口を介して、前記カードの両側面を略同じ力で押圧する一対一組の板ばね片を両翼に有するカード用コネクタ。
【００１７】
（１）の発明によるカード用コネクタは、平板状のトレイと薄直方体のハウジングを備えている。トレイは、カードを収容する凹部を有している。ハウジングは、トレイをスライド自在に内部に収納できる。
【００１８】
又、（１）の発明によるカード用コネクタは、カバー板と複数のコンタクトを備えている。カバー板は、ハウジングの底面を平坦面が覆っている。又、カバー板は、ハウジングの両側面を両翼が密着して補強している。コンタクトは、ハウジングの底面から接点が突出している。接点は、カードの一方の面に設けられたパッドに接触できる。
【００１９】
トレイは、一対一組の開口を両翼に有している。一対一組の開口には、カードの両側面の一部が露出している。一対一組の開口は、トレイのスライド方向に沿って離間し、かつ対向している。
【００２０】
ハウジングは、一対一組の切り欠きを両側面に有している。一対一組の切り欠きは、トレイがスライドする方向に沿って離間し、かつ対向している。カバー板は、一対一組の板ばね片を両翼に有している。一対一組の板ばね片は、一対一組の切り欠き及び一対一組の開口を介して、カードの両側面を略同じ力で押圧している。
【００２１】
ここで、トレイは絶縁性を有することが好ましい。絶縁性のトレイとは、非導電性の材料からなるトレイのことであってよく、合成樹脂を成形して、所望の形状の絶縁性のトレイを得ることができる。
【００２２】
一般に、カードは、外形が矩形に形成された絶縁性のプラスチック筐体の内部にＩＣチップが収納されている。ＩＣチップは、筐体の表面に貼り付けられた複数の金属箔のパッドに接続されている。そして、カードの一方の面に配置された複数のパッドがカードの接続端子となっている。ここで、個別のコンタクトは、個別のパッドと一対一に接続されてよく、機械的及び電気的に接続する。
【００２３】
トレイは、カードの外形より僅かに大きい輪郭を形成し、カードの板厚より僅かに深い凹部を有してよく、複数のパッドが外面となるように、カードが凹部に嵌め込まれる。凹部は、カードの製作誤差を吸収すべく、カードの外形に対して遊びをもたせることが好ましい。
【００２４】
トレイは、カードの誤挿入を防止するため、カードの一隅部に形成された切り欠きに対応する傾斜壁を凹部に設けることが好ましい。又、トレイには、ハウジングからの引き出しが容易な取っ手を突出することが好ましい。更に、トレイには、ハウジングの入口に当接してそれ以上の挿入を停止する停止壁を設けてもよい。
【００２５】
ハウジングは絶縁性を有してよく、絶縁性のハウジングとは、非導電性の材料からなるハウジングのことであってよく、合成樹脂を成形して、所望の形状の絶縁性のハウジングを得ることができる。ハウジングは、略平行に延びて対向する一対の側壁を底面から突出してよく、これらの側壁の内壁にトレイの両側面が案内されてスライドする。
【００２６】
カバー板は、金属薄板からなり、展開された金属薄板を成形加工することにより、所望の形状のカバー板を得ることができる。カバー板は、導電性の金属薄板からなることが好ましく、カバー板がハウジングを覆うことによりシールド効果が得られる。
【００２７】
カバー板は、ハウジングの底面と対向する平坦面の両翼が略直角に屈折されてよく、この両翼がハウジングの両側面（一対の側壁の外壁）に密着して、更に、この両翼の端縁がプリント基板にはんだ接合されて、ハウジングを補強できる。つまり、トレイをハウジングの内部に収納したときに、一対の側壁が外側に開くように変形することを防止できる。
【００２８】
コンタクトは導電性を有しており、導電性の金属板を打ち抜き加工又は折り曲げ加工して、所望の形状の導電性のコンタクトを得ることができる。コンタクトは加工の容易性や、ばね特性、導電性などを考慮すれば、例えば、銅合金が好ましく用いられるが、銅合金に限定される訳ではない。
【００２９】
コンタクトは、板ばねのように作用する片持ち梁であるカンチレバーコンタクトが好ましく用いられる。コンタクトは、弾性アームと固定アームで構成されてよく、弾性アームは、ハウジングの底面から突出して、カードに形成されたパッドに接触する接点を設けてよく、固定アームは、ハウジングの底面に圧入して固定することができる。又、固定アームは、ハウジングと一体に成形してもよい。リード部を固定アームの端部に形成してもよく、このリード部をプリント基板にはんだ接合することにより、このカード用コネクタを表面実装用コネクタとすることができる。
【００３０】
コンタクトは、カードに形成されたパッドに接触する接点を二つ有する、いわゆる２点接触型であってもよく、カンチレバーコンタクトの固定アームから一対の弾性アームが二股に分岐して、２点接触型のコンタクトを得ることができる。２点接触型のコンタクトは、カードに形成されたパッドとの電気的な接触を確実にすることができる。
【００３１】
カードをトレイに収容して、ハウジングに挿入すると、一対一組の板ばね片がトレイの両翼を押圧しつつ、トレイが移動する。ハウジングに対して、トレイが装着位置に到達すると、一対一組の板ばね片は、一対一組の切り欠き及び一対一組の開口を介して、カードの両側面を略同じ力で押圧する。
【００３２】
ハウジングに対してトレイが装着位置において、一対一組の板ばね片は、カードの移動を規制する。より具体的には、一対一組の板ばね片は、カードの挿入方向と平行する方向と直交する運動を規制するように、浮動状態でカードを保持できる。つまり、一対一組の板ばね片は、カードに作用する衝撃を吸収できる。
【００３３】
このように、（１）の発明によるカード用コネクタは、ハウジングに設けた一対一組の切り欠き、及びトレイに設けた一対一組の開口を介して、カードの両側面を略同じ力で押圧する一対一組の板ばね片をカバー板の両翼に有するので、カードに作用する衝撃を吸収できる。したがって、カードに備わるパッドとコンタクトとの接触が確実となり、瞬断を防止できる。
【００３４】
又、（１）の発明によるカード用コネクタは、従来のカード用コネクタと比較して、構成が簡易であり、製造原価の低減に寄与できる。
【００３５】
（２）  カードを収容する凹部を有する平板状のトレイと、このトレイをスライド自在に内部に収納する薄直方体のハウジングと、このハウジングの底面を平坦面が覆うと共に、前記ハウジングの両側面を両翼が密着して補強するカバー板と、前記ハウジングの底面から接点が突出して、この接点が前記カードの一方の面に設けられたパッドに接触する複数のコンタクトと、を備え、前記トレイは、前記カードの一方の側面の一部が露出して、当該トレイのスライド方向に沿って離間する一組の開口を一方の片翼に有し、前記ハウジングは、前記トレイがスライドする方向に沿って離間する一組の切り欠きを一方の側面に有し、前記カバー板は、前記一組の切り欠き及び前記一組の開口を介して、前記カードを前記凹部の内側壁に押圧する一組の板ばね片を一方の片翼に有するカード用コネクタ。
【００３６】
（２）の発明によるカード用コネクタは、平板状のトレイと薄直方体のハウジングを備えている。トレイは、カードを収容する凹部を有している。ハウジングは、トレイをスライド自在に内部に収納できる。
【００３７】
又、（２）の発明によるカード用コネクタは、カバー板と複数のコンタクトを備えている。カバー板は、ハウジングの底面を平坦面が覆っている。又、カバー板は、ハウジングの両側面を両翼が密着して補強している。コンタクトは、ハウジングの底面から接点が突出している。接点は、カードの一方の面に設けられたパッドに接触できる。
【００３８】
トレイは、一組の開口を一方の片翼に有している。一組の開口には、カードの一方の側面の一部が露出している。又、一組の開口は、トレイのスライド方向に沿って離間している。
【００３９】
ハウジングは、一組の切り欠きを一方の側面に有している。一組の切り欠きは、トレイがスライドする方向に沿って離間している。カバー板は、一組の板ばね片を一方の片翼に有している。一組の板ばね片は、一組の切り欠き及び一組の開口を介して、カードを凹部の内側壁に押圧している。
【００４０】
カードをトレイに収容して、ハウジングに挿入すると、一組の板ばね片がトレイの片翼を押圧しつつ、トレイが移動する。ハウジングに対して、トレイが装着位置に到達すると、一組の板ばね片は、一組の切り欠き及び一組の開口を介して、カードを凹部の内側壁に押圧する。
【００４１】
ハウジングに対してトレイが装着された状態において、一組の板ばね片は、カードの移動を規制する。より具体的には、一組の板ばね片は、カードの挿入方向と平行する方向と直交する運動を規制するように、カードを保持できる。つまり、一組の板ばね片は、カードに作用する衝撃を防止できる。
【００４２】
このように、本発明によるカード用コネクタは、ハウジングに設けた一組の切り欠き、及びトレイに設けた一組の開口を介して、カードを凹部の内側壁に押圧する一組の板ばね片をカバー板の片翼に有するので、カードに作用する衝撃を吸収できる。したがって、カードに備わるパッドとコンタクトとの接触が確実となり、瞬断を防止できる。
【００４３】
又、（２）の発明によるカード用コネクタは、従来のカード用コネクタと比較して、構成が簡易であり、製造原価の低減に寄与できる。
【００４４】
（３）  前記板ばね片は、前記カバー板の側面の一部が突出する片持ち状の基端部と、この基端部から延出して前記トレイの側面にスライドする先端部と、を有し、前記トレイは、前記板ばね片の前記先端部が陥没する段差を前記開口の入口に有する（１）又は（２）記載のカード用コネクタ。
【００４５】
（３）の発明によるカード用コネクタは、板ばね片が片持ち状の基端部と先端部を有している。板ばね片の基端部は、カバー板の側面の一部が突出している。板ばね片の先端部は、基端部から延出しており、トレイの側面にスライドする。又、（３）の発明によるカード用コネクタは、トレイが段差を開口の入口に有している。段差は、板ばね片の先端部が陥没する。
【００４６】
（３）の発明によるカード用コネクタは、ハウジングに対してトレイが装着された状態において、一対一組の板ばね片の各先端部がトレイの段差に陥没することにより、その抵抗感覚の変化でトレイの装着状態を感知できる。
【００４７】
又、ハウジングに対してトレイを引き出したときに、板ばね片の先端部がトレイの段差に陥没することにより、その抵抗感覚の変化でトレイの装着の解除状態を感知できる。板ばね片の先端部が段差を乗り上げる強い力でトレイを引き抜くと、ハウジングからトレイを離脱できる。そして、トレイからカードを取りだすことができる。
【発明の効果】
【００４８】
本発明によるカード用コネクタは、ハウジングに設けた一対一組の切り欠き、及びトレイに設けた一対一組の開口を介して、カードの両側面を略同じ力で押圧する一対一組の板ばね片をカバー板の両翼に有するので、カードに作用する衝撃を吸収できる。したがって、カードに備わるパッドとコンタクトとの接触が確実となり、瞬断を防止できる。
【００４９】
本発明によるカード用コネクタは、ハウジングに設けた一組の切り欠き、及びトレイに設けた一組の開口を介して、カードを凹部の内側壁に押圧する一組の板ばね片をカバー板の片翼に有するので、カードに作用する衝撃を吸収できる。したがって、カードに備わるパッドとコンタクトとの接触が確実となり、瞬断を防止できる。
【図面の簡単な説明】
【００５０】
【図１】本発明の一実施形態によるカード用コネクタの外観を示す斜視図である。
【図２】前記実施形態によるカード用コネクタの構成を示す斜視図であり、カバー板を取り外した状態図である。
【図３】前記実施形態によるカード用コネクタを背面側から観た斜視図であり、トレイを挿入する前の状態図である。
【図４】前記実施形態によるカード用コネクタを背面側から観た斜視図であり、トレイを挿入した状態図である。
【図５】前記実施形態によるカード用コネクタに備わるトレイを背面側から観た斜視図である。
【図６】前記実施形態によるカード用コネクタに備わるカバー板を背面側から観た斜視図である。
【図７】前記実施形態によるカード用コネクタに備わる一方の板ばね片の近傍を拡大した斜視図である。
【図８】前記実施形態によるカード用コネクタに備わる他方の板ばね片の近傍を拡大した斜視図である。
【発明を実施するための形態】
【００５１】
以下、図面を参照して本発明を実施するための形態を説明する。
【００５２】
最初に、本発明の実施形態によるカード用コネクタ（以下、コネクタと略称する）の構成を説明する。図１は、本発明の一実施形態によるコネクタの外観を示す斜視図である。図２は、実施形態によるコネクタの構成を示す斜視図であり、カバー板を取り外した状態図である。
【００５３】
図３は、実施形態によるコネクタを背面側から観た斜視図であり、トレイを挿入する前の状態図である。図４は、実施形態によるコネクタを背面側から観た斜視図であり、トレイを挿入した状態図である。図５は、実施形態によるコネクタに備わるトレイを背面側から観た斜視図である。実施形態によるコネクタに備わるカバー板を背面側から観た斜視図である。
【００５４】
図７は、実施形態によるコネクタに備わる一方の板ばね片の近傍を拡大した斜視図である。図８は、実施形態によるコネクタに備わる他方の板ばね片の近傍を拡大した斜視図である。
【００５５】
図１から図６を参照すると、本発明の実施形態によるコネクタ１０は、平板状のトレイ２と薄直方体のハウジング３を備えている。トレイ２は、カード１を収容する凹部２０を有している。ハウジング３は、トレイ２をスライド自在に内部に収納できる。
【００５６】
又、図１から図６を参照すると、カバー板４と複数のコンタクト５を備えている。カバー板４は、ハウジング３の底面３０を平坦面４０が覆っている。又、カバー板４は、その両翼がハウジング３の両側面３１・３１を密着して補強している。コンタクト５は、ハウジング３の底面３０から一対の接点５ａ・５ｂが突出している。これらの接点５ａ・５ｂは、カード１の一方の面に設けられたパッド（図示せず）に接触できる。
【００５７】
図５を参照すると、トレイ２は、その両翼に一対の開口２ａ・２ａを有している。又、トレイ２は、その両翼に一対の開口２ｂ・２ｂを有している。一組の開口２ａ・２ｂは、トレイ２のスライド方向に沿って離間している。つまり、一対一組の開口２ａ・２ａ及び２ｂ・２ｂは、トレイ２のスライド方向に沿って離間し、かつ対向している。そして、一対一組の開口２ａ・２ａ及び２ｂ・２ｂには、カード１の両側面の一部が露出する。
【００５８】
図５、図７、及び図８を参照すると、トレイ２の開口２ａの入口には、段差２１１を有している。板ばね片４ａの先端部４１２は、トレイ２の側面２１をスライドして、段差２１１に陥没する。同様に、トレイ２の開口２ｂの入口には、段差２１１を有している。板ばね片４ｂの先端部４１２は、トレイ２の側面２１をスライドして、段差２１１に陥没する。又、トレイ２の開口２ａ・２ｂには、トレイ２の側面２１から下り傾斜する傾斜面２１２が形成されている。
【００５９】
図２を参照すると、ハウジング３は、一対の切り欠き３ａ・３ａを両側面３１・３１に有している。又、ハウジング３は、一対の切り欠き３ｂ・３ｂを両側面３１・３１に有している。一組の開口２ａ・２ｂは、トレイ２のスライド方向に沿って離間している。つまり、一対一組の切り欠き３ａ・３ａ及び３ｂ・３ｂは、トレイ２がスライドする方向に沿って離間し、かつ対向している。
【００６０】
図６を参照すると、カバー板４は、その両翼に一対の板ばね片４ａ・４ａを有している。又、カバー板４は、その両翼に一対の板ばね片４ｂ・４ｂを有している。一組の板ばね片４ａ・４ｂは、所定距離、離間している。つまり、カバー板４は、一対一組の板ばね片４ａ・４ａ及び４ｂ・４ｂを両翼に有している。
【００６１】
図１から図６を参照すると、カバー板４をハウジング３に取り付けると、一対の板ばね片４ａ・４ａは、一対の切り欠き３ａ・３ａを介して、それらの先端部４１２がハウジング３の内部に突出している。又、一対の板ばね片４ｂ・４ｂは、一対の切り欠き３ｂ・３ｂを介して、それらの先端部４１２がハウジング３の内部に突出している。
【００６２】
図６から図８を参照すると、板ばね片４ａ・４ｂの基端部４１１は、カバー板４の側面４１の一部が片持ち状に突出している。板ばね片４ａ・４ｂの先端部４１２は、基端部４１１から延出しており、トレイ２の側面２１にスライドできる。
【００６３】
図５を参照すると、トレイ２は、カード１の外形より僅かに大きい輪郭を形成し、カード１の板厚より僅かに深い凹部２０を有している。そして、カード１に形成された複数のパッド（図示せず）が外面となるように、カード１が凹部２０に嵌め込まれる。凹部２０は、カード１の製作誤差を吸収すべく、カード１の外形に対して遊びをもたせている。
【００６４】
図１から図６を参照すると、トレイ２は、カード１の誤挿入を防止するため、カード１の一隅部に形成された切り欠き（図示せず）に対応する傾斜壁２ｃを凹部２０に設けている。又、トレイ２には、ハウジング３からの引き出しが容易な取っ手２ｄを突出している。更に、トレイ２には、ハウジング３の入口に当接してそれ以上の挿入を停止する一対の停止壁２ｅ・２ｅを設けている。
【００６５】
図２を参照すると、ハウジング３は、絶縁性を有しており、合成樹脂を成形して、図示された形状の絶縁性のハウジングを得ている。ハウジング３は、略平行に延びて対向する一対の側面３１・３１を底面３０から突出している。そして、これらの側面３１・３１の内壁にトレイ２の両側面２１・２１が案内されてスライドできる（図３又は図４参照）。
【００６６】
図６を参照すると、カバー板４は、展開された金属薄板を成形加工することにより、図示された形状のカバー板を得ることができる。カバー板４は、導電性の金属薄板からなり、カバー板４がハウジング３を覆うことによりシールド効果が得られる（図１又は図２参照）。
【００６７】
図１から図６を参照すると、カバー板４は、ハウジング３の底面３０と対向する平坦面４０の両翼の側面４１・４１が略直角に屈折されている。これらの側面４１・４１がハウジング３の両側面（一対の側面３１・３１の外壁）に密着して、更に、これらの側面４１・４１の端縁がプリント基板１ｐにはんだ接合されて、ハウジング３を補強している。つまり、トレイ２をハウジング３の内部に収納したときに、一対の側面３１・３１が外側に開くように変形することを防止できる。
【００６８】
図２を参照すると、コンタクト５は、板ばねのように作用する片持ち梁であるカンチレバーコンタクトが用いられている。コンタクト５は、弾性アームと固定アームで構成されており、弾性アームは、ハウジング３の底面３０から突出して、カード１に形成されたパッド（図示せず）に接触する接点５ａ・５ｂを設けている。
【００６９】
図２を参照すると、コンタクト５の固定アームは、ハウジング３と一体に成形されている。コンタクト５は、リード部５ｒを固定アームの端部に形成しており、これらのリード部５ｒをプリント基板１ｐにはんだ接合することにより、コネクタ１０を表面実装用コネクタとすることができる。
【００７０】
図２を参照すると、コンタクト５は、カード１に形成されたパッド（図示せず）に接触する接点を二つ有する、いわゆる２点接触型としている。コンタクト５は、カンチレバーコンタクトの固定アームから一対の弾性アームが二股に分岐する２点接触型のコンタクトとしている。図示された２点接触型のコンタクト５は、カード１に形成されたパッド（図示せず）との電気的な接触を確実にすることができる。
【００７１】
次に、本発明の実施形態によるコネクタ１０の作用を説明する。
【００７２】
図３の状態において、カード１をトレイ２の凹部２０に収容する。次に、トレイ２をハウジング３に挿入すると、一対一組の板ばね片４ａ・４ａ及び４ｂ・４ｂの先端部４１２がトレイ２の両側面２１・２１を押圧しながら、トレイ２が移動する（図５及び図６参照）。
【００７３】
図１又は図４に示されるように、ハウジング３に対して、トレイ２が装着位置に到達すると、一対一組の板ばね片４ａ・４ａ及び４ｂ・４ｂは、一対一組の切り欠き３ａ・３ａ及び３ｂ・３ｂ及び一対一組の開口２ａ・２ａ及び２ｂ・２ｂを介して、カード１の両側面を略同じ力で押圧する。
【００７４】
図１又は図４を参照すると、ハウジング３に対してトレイ２が装着された状態において、一対一組の板ばね片４ａ・４ａ及び４ｂ・４ｂは、カード１の移動を規制している。実施形態では、一対一組の板ばね片４ａ・４ａ及び４ｂ・４ｂは、カード１の挿入方向と平行する方向と直交する運動を規制するように、浮動状態でカード１を保持している。つまり、一対一組の板ばね片４ａ・４ａ及び４ｂ・４ｂは、カード１に作用する衝撃を吸収できる。
【００７５】
このように、本発明の実施形態によるコネクタ１０は、ハウジング３に設けた一対一組の切り欠き３ａ・３ａ及び３ｂ・３ｂ、及びトレイ２に設けた一対一組の開口２ａ・２ａ及び２ｂ・２ｂを介して、カード１の両側面を略同じ力で押圧する一対一組の板ばね片４ａ・４ａ及び４ｂ・４ｂをカバー板４の両翼に有するので、カード１に作用する衝撃を吸収できる。したがって、カード１に備わるパッドとコンタクト５との接触が確実となり、瞬断を防止できる。
【００７６】
図１、図７及び図８を参照すると、本発明の実施形態によるコネクタ１０は、ハウジング３に対してトレイ２が装着された状態において、一対一組の板ばね片４ａ・４ａ及び４ｂ・４ｂの各先端部４１２がトレイ２の段差２１１に陥没することにより、その抵抗感覚の変化でトレイ２の装着状態を感知できる。
【００７７】
又、図４、図７及び図８を参照すると、一対の板ばね片４ｂ・４ｂの各先端部４１２が一対の開口２ｂ・２ｂの入口に設けた各段差２１１・２１１を乗り越える強い力、及び一対の板ばね片４ａ・４ａの各先端部４１２が一対の開口２ａ・２ａの入口に設けた各傾斜面２１２・２１２を乗り越える強い力でトレイ２を引き出すことができる。
【００７８】
図３、図７及び図８を参照すると、ハウジング３に対してトレイ２を引き出したときに、一対の板ばね片４ａ・４ａの各先端部４１２が一対の開口２ｂ・２ｂの入口に設けた各段差２１１・２１１に陥没することにより、その抵抗感覚の変化でトレイ２の装着の解除状態を感知できる。
【００７９】
図３、図７及び図８を参照すると、一対の板ばね片４ａ・４ａの各先端部４１２が一対の開口２ｂ・２ｂの入口に設けた各段差２１１・２１１を乗り上げる強い力でトレイ２を引き抜くと、ハウジング３からトレイ２を離脱できる。そして、トレイ２からカード１を取りだすことができる。
【００８０】
図１から図６を参照すると、本発明の実施形態によるコネクタ１０は、例えば、特許文献１によるカード用コネクタと比較して、構成が簡易であることがわかる。したがって、本発明の実施形態によるコネクタ１０は、製造原価の低減に寄与できる。又、本発明の実施形態によるコネクタ１０は、低背化された表面実装用のコネクタも実現している。
【００８１】
次に、本発明の別の実施形態によるコネクタの構成及び作用を説明する。
【００８２】
なお、実施形態によるコネクタ１０は、一対一組の板ばね片が一対一組の切り欠き及び一対一組の開口を介して、カード１の両側面を略同じ力で押圧している。一方、別の実施形態によるコネクタは、一組の板ばね片が一組の切り欠き及び一組の開口を介して、カード１の一方の側面を押圧しているという違いがある。
【００８３】
又、別の実施形態によるコネクタは、実施形態によるコネクタ１０を説明した図１から図８を援用して、その構成及び作用を説明する。更に、以下の説明では、実施形態によるコネクタ１０と同じものは、説明を割愛する場合がある。
【００８４】
図５を参照すると、別の実施形態によるコネクタは、トレイ２が一組の開口２ａ・２ｂを一方の片翼に有している。そして、一組の開口２ａ・２ｂには、カード１の一方の側面の一部が露出している。又、一組の開口２ａ・２ｂは、トレイ２のスライド方向に沿って離間している。
【００８５】
図２を参照すると、別の実施形態によるコネクタは、ハウジング３が一組の切り欠き３ａ・３ｂを一方の側面３１に有している。一組の切り欠き３ａ・３ｂは、トレイ２がスライドする方向に沿って離間している（図３又は図４参照）。
【００８６】
図２、図５及び図６を参照すると、別の実施形態によるコネクタは、カバー板４が一組の板ばね片４ａ・４ｂを一方の片翼に有している。一組の板ばね片４ａ・４ｂは、一組の切り欠き３ａ・３ｂ及び一組の開口２ａ・２ｂを介して、カード１をトレイ２の凹部２０の内側壁に押圧できる。
【００８７】
図３の状態において、カード１をトレイ２の凹部２０に収容する。次に、トレイ２をハウジング３に挿入すると、一組の板ばね片４ａ・４ｂの先端部４１２がトレイ２の一方の側面２１を押圧しながら、トレイ２が移動する（図５及び図６参照）。
【００８８】
図１又は図４に示されるように、ハウジング３に対して、トレイ２が装着位置に到達すると、一組の板ばね片４ａ・４ｂは、一組の切り欠き３ａ・３ｂ及び一組の開口２ａ・２ｂを介して、カード１を凹部２０の内側壁に押圧している。
【００８９】
図１又は図４を参照すると、ハウジング３に対してトレイ２が装着された状態において、一組の板ばね片４ａ・４ｂは、カード１の移動を規制している。別の実施形態では、一組の板ばね片４ａ・４ｂは、カード１の挿入方向と平行する方向と直交する運動を規制するように、カード１を保持している。つまり、一組の板ばね片４ａ・４ｂは、カード１に作用する衝撃を防止できる。
【００９０】
このように、本発明の別の実施形態によるコネクタは、ハウジング３に設けた一組の切り欠き３ａ・３ｂ、及びトレイ２に設けた一組の開口２ａ・２ｂを介して、カード１を凹部２０の内側壁に押圧する一組の板ばね片４ａ・４ｂをカバー板４の片翼に有するので、カード１に作用する衝撃を吸収できる。したがって、カード１に備わるパッドとコンタクト５との接触が確実となり、瞬断を防止できる。
【００９１】
図１、図７及び図８を参照すると、本発明の別の実施形態によるコネクタは、ハウジング３に対してトレイ２が装着された状態において、一組の板ばね片４ａ・４ｂの各先端部４１２がトレイ２の段差２１１に陥没することにより、その抵抗感覚の変化でトレイ２の装着状態を感知できる。
【００９２】
又、図４、図７及び図８を参照すると、一方の板ばね片４ｂの先端部４１２が一方の開口２ｂの入口に設けた段差２１１を乗り越える強い力、及び一方の板ばね片４ａの先端部４１２が一方の開口２ａの入口に設けた傾斜面２１２を乗り越える強い力でトレイ２を引き出すことができる。
【００９３】
図３、図７及び図８を参照すると、ハウジング３に対してトレイ２を引き出したときに、一方の板ばね片４ａの先端部４１２が一方の開口２ｂの入口に設けた段差２１１に陥没することにより、その抵抗感覚の変化でトレイ２の装着の解除状態を感知できる。
【００９４】
図３、図７及び図８を参照すると、一方の板ばね片４ａの先端部４１２が一方の開口２ｂの入口に設けた段差２１１を乗り上げる強い力でトレイ２を引き抜くと、ハウジング３からトレイ２を離脱できる。そして、トレイ２からカード１を取りだすことができる。
【符号の説明】
【００９５】
１  カード
２  トレイ
２ａ・２ａ、２ｂ・２ｂ  一対一組の開口
３  ハウジング
３ａ・３ａ、３ｂ・３ｂ  一対一組の切り欠き
４  カバー板
４ａ・４ａ、４ｂ・４ｂ  一対一組の板ばね片
５  コンタクト
５ａ・５ｂ  接点
１０  コネクタ
２０  凹部カバー板
２１・２１  側面（トレイの両翼）
３０  底面（ハウジングの底面）
３１・３１  側面（ハウジングの両側面）
４０  平坦面
４１・４１  側面（カバー板の両翼）
【図１】
2010198810.tif 000003
【図２】
2010198810.tif 000004
【図３】
2010198810.tif 000005
【図４】
2010198810.tif 000006
【図５】
2010198810.tif 000007
【図６】
2010198810.tif 000008
【図７】
2010198810.tif 000009
【図８】
2010198810.tif 000010